(57)【要約】【課題】系統事故が発生した場合においても重要な電力負荷への電力供給を確保しつつ、マイクログリッド系統等の電力系統における電力需給バランスを早急に回復する。【解決手段】電力負荷を特定する情報とその電力負荷の重要度とを関連付けて記憶する負荷情報記憶部２１と、電力系統２の運転状況情報を受信する系統情報受信部２３と、系統事故の発生の有無を判定する事故判定部２４と、電力系統２において電力が供給過剰か電力不足かを判定する電力量判定部２５と、事故判定部２４が事故が発生したと判定した場合であって、電力量判定部２５が電力不足と判定したときは、電力系統２から遮断すべき電力負荷を判定する遮断対象判定部２６と、遮断対象判定部２６で判定した電力負荷への電力供給を遮断するための信号を、当該電力負荷に接続する遮断器４１に対して発信する遮断信号発信部２７と、を備える。【選択図】図２
2008271625.tif 000002
【特許請求の範囲】
【請求項１】
ある電力系統において系統事故が発生した場合に、一部の電力負荷を遮断する電力系統遮断システムであって、
前記電力系統上の各電力負荷について、電力負荷を特定する情報とその重要度とを関連付けて記憶する負荷情報記憶部と、
各電力負荷の電力使用量を含む情報を受信する系統情報受信部と、
前記系統情報受信部が受信した情報に基づいて、系統事故の発生の有無を判定する事故判定部と、
前記系統情報受信部が受信した情報に基づいて、当該電力系統において電力が供給過剰となっているか電力不足となっているかを判定する電力量判定部と、
前記事故判定部が事故が発生したと判定し、かつ前記電力量判定部が電力不足となっていると判定した場合には、前記負荷情報記憶部に記憶された電力負荷特定情報及び重要度と、前記系統情報受信部の受信した各電力負荷の電力使用量と、に基づいて、前記電力系統から遮断すべき電力負荷を判定する遮断対象判定部と、
前記遮断対象判定部で判定した電力負荷への電力供給を遮断するための信号を、当該電力負荷に接続する遮断器に対して発信する遮断信号発信部と、
を備えることを特徴とする電力系統遮断システム。
【請求項２】
請求項１に記載の電力系統遮断システムであって、
前記負荷情報記憶部において記憶する電力負荷の重要度は、各電力負荷について重要電力負荷であるか非重要電力負荷であるかを示すものであり、
前記遮断対象判定部は、前記非重要電力負荷の中から遮断すべき電力負荷を、選択した電力負荷の電力使用量の和が電力不足量以上になるように選択することを特徴とする電力系統遮断システム。
【請求項３】
請求項１に記載の電力系統遮断システムであって、
前記負荷情報記憶部において記憶する電力負荷の重要度は、各電力負荷の重要度を順位付けしたものであり、前記遮断対象判定部は、重要度の低い負荷から順に電力使用量の和が電力不足量に達するまでの電力負荷を遮断すべき電力負荷として判定することを特徴とする電力系統遮断システム。
【請求項４】
請求項１〜３の何れかに記載の電力系統遮断システムであって、
前記電力系統上での電力供給源である発電機について、その発電機を特定する情報とその発電機の重要度とを関連付けて記憶する発電機データ記憶部を備え、
前記系統情報受信部が受信する情報は、各発電機の発電量を含み、
前記遮断対象判定部は、前記事故判定部で事故が発生したと判定し、かつ前記電力量判定部が電力供給過剰となっていると判定した場合には、前記発電機データ記憶部に記憶された発電機特定情報及び発電機の重要度と、前記系統情報受信部の受信した各発電機の発電量と、に基づいて、前記電力系統から遮断すべき発電機を判定し、
前記遮断信号発信部は、前記遮断対象判定部で判定した前記電力系統から遮断すべき発電機からの電力供給を遮断する信号を前記電力系統上に設置された前記発電機に接続する遮断器に対して発信することを特徴とする電力系統遮断システム。
【請求項５】
請求項４に記載の電力系統遮断システムであって、
前記発電機データ記憶部において記憶する発電機の重要度は、各発電機が重要発電機であるか非重要発電機であるかを示すものであり、
前記遮断対象判定部は、前記非重要発電機の中から遮断すべき発電機を、選択した発電機の発電量の和が過剰な電力量以上になるように選択することを特徴とする電力系統遮断システム。
【請求項６】
請求項４に記載の電力系統遮断システムであって、
前記発電機データ記憶部において記憶する発電機の重要度は、各発電機の重要度を順位付けしたものであり、前記遮断対象判定部は重要度の順位の低い発電機から順に発電量の和が過剰な電力量に達するまでの発電機を遮断すべき発電機として判定することを特徴とする電力系統遮断システム。
【請求項７】
請求項４に記載の電力系統遮断システムであって、
前記発電機データ記憶部は、各発電機の単位発電量当たりの発電コストを各発電機を特定する情報と関連付けて記憶し、
前記遮断対象判定部は、発電コストを最小化するように前記非重要発電機の中から遮断すべき発電機を、選択した発電機の発電量の和が過剰な電力量以上になるように選択することを特徴とする電力系統遮断システム。
【請求項８】
ある電力系統において系統事故が発生した場合に、一部の発電機を遮断する電力系統遮断システムであって、
前記電力系統上の各発電機について、発電機を特定する情報と重要度とを関連付けて記憶する負荷情報記憶部と、
各発電機の発電量含む情報を受信する系統情報受信部と、
前記系統情報受信部が受信した情報に基づいて系統事故の発生の有無を判定する事故判定部と、
前記系統情報受信部が受信した情報に基づいて、当該電力系統において電力が供給過剰となっているか電力不足となっているかを判定する電力量判定部と、
前記事故判定部が事故が発生したと判定し、かつ前記電力量判定部が電力不足となっていると判定した場合には、前記発電機データ記憶部に記憶された発電機の特定情報及び重要度と、前記系統情報受信部の受信した各発電機の発電量と、に基づいて、前記電力系統から遮断すべき発電機を判定する遮断対象判定部と、
前記遮断対象判定部で判定した発電機からの電力供給を遮断するための信号を、当該発電機に接続する遮断器に対して発信する遮断信号発信部と、
を備えることを特徴とする電力系統遮断システム。
【請求項９】
ある電力系統において系統事故が発生した場合に、一部の電力負荷を遮断する遮断方法であって、
前記電力系統上での電力負荷について、その電力負荷を特定する情報とその電力負荷量とその電力負荷の重要度とを関連付けて記憶した記憶部にアクセス可能なコンピュータが、
各電力負荷の電力使用量を含む前記電力系統の運転状況に係る情報を受信するステップと、
前記受信した情報に基づいて、系統事故の発生の有無を判定するステップと、
前記受信した情報に基づいて、当該電力系統において電力が供給過剰となっているか電力不足となっているかを判定するステップと、
前記事故が発生したと判定した場合であって、前記電力不足となっていると判定したときは、前記記憶された電力負荷特定情報及び電力負荷の重要度と前記受信した各電力負荷の電力使用量とに基づいて、前記電力系統から遮断すべき電力負荷を判定するステップと、
前記判定した電力負荷への電力供給を遮断するための信号を、当該電力負荷に接続する遮断器に対して発信するステップと、
を含むことを特徴とする電力系統遮断方法。
【請求項１０】
ある電力系統において系統事故が発生した場合に、一部の電力負荷を遮断する遮断プログラムであって、
前記電力系統上での電力負荷について、その電力負荷を特定する情報とその電力負荷量とその電力負荷の重要度とを関連付けて記憶した記憶部にアクセス可能なコンピュータに、
各電力負荷の電力使用量を含む前記電力系統の運転状況に係る情報を受信するステップと、
前記受信した情報に基づいて系統事故の発生の有無を判定するステップと、
前記受信した情報に基づいて、当該電力系統において電力が供給過剰となっているか電力不足となっているかを判定するステップと、
前記事故が発生したと判定した場合であって、前記電力不足となっていると判定したときは、前記記憶された電力負荷特定情報及び電力負荷の重要度と前記受信した各電力負荷の電力使用量とに基づいて、前記電力系統から遮断すべき電力負荷を判定するステップと、
前記判定した電力負荷への電力供給を遮断するための信号を、当該電力負荷に接続する遮断器に対して発信するステップと、
を実行させることを特徴とする電力系統遮断プログラム。
【発明の詳細な説明】
【技術分野】
【０００１】
小規模電力系統における電力系統遮断システム、方法及びプログラムに関する。
【背景技術】
【０００２】
独立して電力需給を行う小規模電力系統（いわゆる「マイクログリッド系統」）は、電熱併給型発電（ｃｏ−ｇｅｎｅｒａｔｉｏｎ）による省エネや自然エネルギー（太陽光発電、太陽熱発電、風力発電等）の独立電源の積極的活用等の目的から、近年注目を集めている電力送配電網の形態である。一方で、発電容量及び電力負荷の小さいマイクログリッド系統においては、系統事故が発生した場合、一つの系統事故が系統全体の電力需給バランスに大きな悪影響を与えるとの問題がある。
【０００３】
ところで、例えば、特許文献１には、大規模な電力系統を予め幾つかの系統グループに分けておき、系統事故等により電力需給バランスが崩れた場合には、その系統グループの一つ又は２つ以上を当該電力系統から遮断することで電力需給バランスを回復する技術が開示されている。
【０００４】
しかし、この技術において、系統グループには医療設備等の重要な電力負荷と重要でない電力負荷とが混在しているので、ある系統グループを遮断する際にはその系統グループに属する個別の電力負荷を選択的に遮断することはできず、また選択的に電力供給を維持することもできない。したがって、重要な電力負荷であっても電力供給を停止することがありうるとの問題がある。
【特許文献１】特開２００５−３４１６３８号公報
【発明の開示】
【発明が解決しようとする課題】
【０００５】
本発明は、このような課題に対して、系統事故が発生した場合においても重要な電力負荷への電力供給を確保しつつ、マイクログリッド系統等の電力系統における電力需給バランスを早急に回復することができる電力系統遮断システム、方法及びプログラムを提供することを目的とする。
【課題を解決するための手段】
【０００６】
第１の発明は、ある電力系統において系統事故が発生した場合に、一部の電力負荷を遮断する電力系統遮断システムであって、
前記電力系統上の各電力負荷について、電力負荷を特定する情報とその重要度とを関連付けて記憶する負荷情報記憶部と、
各電力負荷の電力使用量を含む情報を受信する系統情報受信部と、
前記系統情報受信部が受信した情報に基づいて、系統事故の発生の有無を判定する事故判定部と、
前記系統情報受信部が受信した情報に基づいて、当該電力系統において電力が供給過剰となっているか電力不足となっているかを判定する電力量判定部と、
前記事故判定部が事故が発生したと判定し、かつ前記電力量判定部が電力不足となっていると判定した場合には、前記負荷情報記憶部に記憶された電力負荷特定情報及び重要度と、前記系統情報受信部の受信した各電力負荷の電力使用量と、に基づいて、前記電力系統から遮断すべき電力負荷を判定する遮断対象判定部と、
前記遮断対象判定部で判定した電力負荷への電力供給を遮断するための信号を、当該電力負荷に接続する遮断器に対して発信する遮断信号発信部と、
を備えることを特徴とする電力系統遮断システムである。
【０００７】
第２の発明は、第１の発明に記載の電力系統遮断システムであって、
前記負荷情報記憶部において記憶する電力負荷の重要度は、各電力負荷について重要電力負荷であるか非重要電力負荷であるかを示すものであり、
前記遮断対象判定部は、前記非重要電力負荷の中からランダムに遮断すべき電力負荷を選択することを特徴とする電力系統遮断システムである。
【０００８】
第３の発明は、第１の発明に記載の電力系統遮断システムであって、
前記負荷情報記憶部において記憶する電力負荷の重要度は、各電力負荷の重要度を順位付けしたものであり、前記遮断対象判定部は、重要度の低い負荷から順に電力使用量の和が電力不足量に達するまでの電力負荷を遮断すべき電力負荷として判定することを特徴とする電力系統遮断システムである。
【０００９】
第４の発明は、第１〜３の発明の何れかに記載の電力系統遮断システムであって、
前記電力系統上での電力供給源である発電機について、その発電機を特定する情報とその発電機の重要度とを関連付けて記憶する発電機データ記憶部を備え、
前記系統情報受信部が受信する情報は、各発電機の発電量を含み、
前記遮断対象判定部は、前記事故判定部で事故が発生したと判定し、かつ前記電力量判定部が電力供給過剰となっていると判定した場合には、前記発電機データ記憶部に記憶された発電機特定情報及び発電機の重要度と、前記系統情報受信部の受信した各発電機の発電量と、に基づいて、前記電力系統から遮断すべき発電機を判定し、
前記遮断信号発信部は、前記遮断対象判定部で判定した前記電力系統から遮断すべき発電機からの電力供給を遮断する信号を前記電力系統上に設置された前記発電機に接続する遮断器に対して発信することを特徴とする電力系統遮断システムである。
【００１０】
第５の発明は、第４の発明に記載の電力系統遮断システムであって、
前記発電機データ記憶部において記憶する発電機の重要度は、各発電機が重要発電機であるか非重要発電機であるかを示すものであり、
前記遮断対象判定部は、前記非重要発電機の中からランダムに遮断すべき発電機を選択することを特徴とする電力系統遮断システムである。
【００１１】
第６の発明は、第４の発明に記載の電力系統遮断システムであって、
前記発電機データ記憶部において記憶する発電機の重要度は、各発電機の重要度を順位付けしたものであり、前記遮断対象判定部は重要度の順位の低い発電機から順に発電量の和が過剰な電力量に達するまでの発電機を遮断すべき発電機として判定することを特徴とする電力系統遮断システムである。
【００１２】
第７の発明は、第４の発明に記載の電力系統遮断システムであって、
前記発電機データ記憶部は、各発電機の単位発電量当たりの発電コストを各発電機を特定する情報と関連付けて記憶し、
前記遮断対象判定部は、発電コストを最小化するように前記非重要発電機の中から遮断すべき発電機を選択することを特徴とする電力系統遮断システムである。
【００１３】
第８の発明は、ある電力系統において系統事故が発生した場合に、一部の発電機を遮断する電力系統遮断システムであって、
前記電力系統上の各発電機について、発電機を特定する情報と重要度とを関連付けて記憶する負荷情報記憶部と、
各発電機の発電量含む情報を受信する系統情報受信部と、
前記系統情報受信部が受信した情報に基づいて系統事故の発生の有無を判定する事故判定部と、
前記系統情報受信部が受信した情報に基づいて、当該電力系統において電力が供給過剰となっているか電力不足となっているかを判定する電力量判定部と、
前記事故判定部が事故が発生したと判定し、かつ前記電力量判定部が電力不足となっていると判定した場合には、前記発電機データ記憶部に記憶された発電機の特定情報及び重要度と、前記系統情報受信部の受信した各発電機の発電量と、に基づいて、前記電力系統から遮断すべき発電機を判定する遮断対象判定部と、
前記遮断対象判定部で判定した発電機からの電力供給を遮断するための信号を、当該発電機に接続する遮断器に対して発信する遮断信号発信部と、
を備えることを特徴とする電力系統遮断システムである。
【発明の効果】
【００１４】
本発明によれば、系統事故が発生した場合においても重要な電力負荷への電力供給を確保しつつ、マイクログリッド系統の電力需給バランスを早急に回復することができる。
【発明を実施するための最良の形態】
【００１５】
図１は、本発明の一実施形態である電力系統遮断システム１のハードウェア構成を示す図である。電力系統遮断システム１は、ＣＰＵ１０、メモリ１１、記憶装置１２、記録媒体読取装置１３、通信インターフェイス１４、入力装置１５、及び出力装置１６等を備えている。
【００１６】
記憶装置１２に記憶されているプログラムがメモリ１１に読み出されて格納され、ＣＰＵ１０はメモリ１１に格納されたプログラムを実行する。ここで、記憶装置１２は例えばハードディスクドライブ等である。記録媒体読取装置１３は、例えばＣＤ−ＲＯＭ等の記録媒体１７に記録されたプログラムを読み取るドライブ装置である。また、入力装置１５は、キーボードやマウス等であり、出力装置１６は、ディスプレイやプリンタ等である。
【００１７】
図２は、本発明の一実施形態である電力系統遮断システム１を備えるマイクログリッド系統２の構成を示す図である。同図に示すように、本実施形態のマイクログリッド系統２は、送配電線３０及び遮断器４１を備え、発電機３３から供給される電力を電力負荷３１へ供給する。
【００１８】
電力系統遮断システム１は、負荷情報記憶部２１、発電機データ記憶部２２、系統情報受信部２３、事故判定部２４、電力量判定部２５、遮断対象判定部２６、遮断信号発信部２７等を備える。なお、負荷情報記憶部２１、発電機データ記憶部２２の各記憶部は、記憶装置１２上に構築され、また系統情報受信部２３、事故判定部２４、電力量判定部２５、遮断対象判定部２６、遮断信号発信部２７の各機能部は、ＣＰＵ１０が記憶装置１２に記憶されたプログラムを読み出して実行することにより実現される。
【００１９】
負荷情報記憶部２１は、マイクログリッド系統２内での各電力負荷３１について、電力負荷を特定する情報とその電力負荷の重要度とを関連付けて記憶する。図３は、電力負荷データ記憶部２１に記憶されているデータ構成の一例を示す図である。同図では、各電力負荷３１を特定する情報として、例えば、電力負荷名称と給電先の顧客ＩＤ番号を用いているか、これに限らず住所や電話番号等でもよい。また、電力負荷３１の重要度とは、電力負荷３１の業種や使用形態等に鑑みて、電力供給を停止するべきでない重要電力負荷３１ａであるか、事故等非常時には電力供給を停止するのもやむをえない非重要電力負荷３１ｂであるかを示すものである。例えば、重要電力負荷３１ａとは、病院における医療設備や消防署における防災関連設備、警察署における事件対応関連設備等である。なお、図３に示す通り、病院や消防署、警察署であっても街灯や自動販売機等に用いる一般的用途の電力負荷は、特に重要という訳ではないので、不重要電力負荷３１ｂとした。ただし、この場合、病院や消防署、警察署などの各施設において、重要電力負荷３１ａと非重要電力負荷３１ｂとを独立に電力系統から遮断できるようになっているものとする。
【００２０】
発電機データ記憶部２２は、マイクログリッド系統２内での電力供給源である各発電機３３ａ、３３ｂについて、発電機を特定する情報と発電機の重要度とを関連付けて記憶する。図４は、発電機データ記憶部２２に記憶されているデータ構成の一例を示す図である。同図では、各発電機３３を特定する情報として、発電機の名称とＩＤ番号を用いる。また発電機３３の重要度とは、発電機３３の運用形態等に鑑みて、発電運転を停止するべきでない重要発電機３３ａであるか、事故等非常時には発電運転を停止するのもやむをえない非重要発電機３３ｂであるかを示すものである。例えば、電熱併給型の発電機（いわゆるｃｏ−ｇｅｎｅｒａｔｉｏｎ）は、電力のみならず温熱も供給するので、発電運転を停止すると温熱供給も停止することとなり、マイクログリッド系統２以外にも悪影響を与えることとなることから、重要度が高い。一方、例えば、貯水型水力発電機は、水を貯留しておけば別途に発電することができ、またディーゼル発電機は、一般に他の種類の発電機と比較して軽油の燃料代が割高であるので、重要度は低い。
【００２１】
系統情報受信部２３は、各電力負荷３１の電力使用量及び各発電機３３の発電量に係る情報を含むマイクログリッド系統２の運転状況に係る情報を受信する。また、系統情報受信部２３は、運転状況に係る情報として、各電力負荷３１の電力使用量及び各発電機３３の発電量に係る情報以外に、マイクログリッド系統２の潮流（電流・電圧）情報や周波数、マイクログリッド系統２に設置された遮断器４１の開閉状況情報等も受信する。
【００２２】
事故判定部２４は、系統情報受信部２３の受信した潮流情報や遮断器４１の開閉状況情報に基づいて系統事故の発生の有無を判定する。例えば、電圧の降下が検知された場合や、遮断器４１がトリップするような場合は、系統事故と判定できる。
【００２３】
電力量判定部２５は、系統情報受信部２３の受信した潮流情報や周波数、遮断器４１の開閉状況情報に基づいて、マイクログリッド系統２が電力不足となっているか、電力の供給過剰となっているかを判定する。具体的には、電力量判定部２５は、連系線の潮流が規定よりも多く流出すると供給過剰であると判定し、連系線の潮流が規定よりも多く流入すると供給不足であると判定する。また、周波数が高くなると供給過剰であると判定し、周波数が低くなると供給不足であると判定する。
【００２４】
遮断対象判定部２６は、事故判定部２４が事故が発生したと判定し、かつ電力量判定部２５が電力不足であると判定した場合には、負荷情報記憶部２１に記憶された電力負荷特定情報及び電力負荷の重要度と系統情報受信部２３が受信した各電力負荷３１ａ、３１ｂの電力使用量とに基づいて、マイクログリッド系統２から遮断すべき電力負荷を判定する。つまり、１または２以上の非重要電力負荷３１ｂをマイクログリッド系統２から遮断することによって、上記の不足する電力量とのバランスを取ることができる。遮断すべき電力負荷の判定にあたっては、各非重要電力負荷３１ｂについては平等に扱うこととして、各非重要電力負荷３１ｂの中から電力使用量の和が電力不足量以上となるように遮断すべき電力負荷をランダムに選択することとしてもよい。あるいは、電力負荷３１について予め重要度の順位をつけておき、重要度の低い電力負荷から順に電力使用量の和が電力不足量以上となるように選択して遮断することとしてもよい。なお、重要度を低くした非重要電力負荷３１ｂに該当する顧客には、例えば見返りに割引電気料金を提供してもよい。
【００２５】
また、遮断対象判定部２６は、事故判定部２４が事故が発生したと判定し、かつ電力量判定部２５が電力供給が過剰と判定した場合は、発電機データ記憶部２２に記憶された発電機特定情報及び発電機の重要度と系統情報受信部の受信した各発電機３３、３４の発電量とに基づいて、マイクログリッド系統２から遮断すべき発電機３３、３４を判定する。つまり、１又は２以上の非重要発電機３３ｂをマイクログリッド系統２から遮断することにより、上記の過剰な電力量とのバランスを取ることができる。遮断すべき発電機の判定については、各非重要発電機３３ｂについては平等に扱うこととして、非重要発電機３３ｂの中から発電量の和が過剰な電力量以上となるように遮断すべき発電機をランダムに選択することとしてもよい。あるいは、非重要発電機３３ｂについて予め重要度の順位をつけておき、重要度の低い発電機から順に発電量の和が過剰な電力量以上となるように選択して遮断することとしてもよい。また、非重要発電機３３ｂについて、各非重要発電機３３ｂの単位発電量当たりの発電コストと発電機特定情報とを関連付けて発電機データ記憶部２２で記憶し、遮断対象判定部２６は、発電コストを最小化するように非重要発電機３３ｂの中から遮断すべき発電機を選択することで判定してもよい。
【００２６】
遮断信号発信部２７は、遮断対象判定部２６で判定した遮断すべき電力負荷又は発電機への電力供給を遮断するための転送遮断信号を当該電力負荷又は発電機の遮断器に対して送信する。この発信に係る通信は、例えば電力系統の制御のために設けられた専用の通信回線を利用して行うことができる。
【００２７】
図５は、遮断対象判定部２６が、事故発生時に遮断すべき電力負荷又は発電機を判定すべく実行する処理を示すフロー図である。
【００２８】
同図に示すように、事故判定部２４が事故発生に係る情報を受け取ると、遮断対象判定部２６は系統情報受信部２３からその情報を受け取る（Ｓ５０２）。また、遮断対象判定部２６は、系統情報受信部２３から潮流情報を受信し（Ｓ５０４）、遮断対象判定部２６は、電力量判定部２５からマイクログリッド系統２が電力不足となっているか、電力の供給過剰となっているかの判定結果を受取る（Ｓ５０６）。そして、マイクログリッド系統２での電力需給バランスを判定する（Ｓ５０８）。
【００２９】
系統事故が発電機のトラブルや発電所からの送電線の事故等であって電力供給が不足した場合（Ｓ５０８：ＹＥＳ）、系統情報受信部２３から受信した潮流情報に基づいて、マイクログリッド系統２での総需要量Ｐｄから総発電量Ｐｓを差し引いて、不足する電力量を算出する（Ｓ５１０）。ここで、マイクログリッド系統２の電力需給をバランスさせるために、この不足する電力量に相当する需要量をマイクログリッド系統２から切り離す必要がある。そこで、負荷情報記憶部２１に記憶された電力負荷データに基づいて、非重要電力負荷３１ｂの中から切り離すべき電力負荷を選定する（Ｓ５１２）。選定した電力負荷を遮断信号発信部２７に通知する（Ｓ５１４）。
【００３０】
一方、系統事故が大口需要先への送電線の事故等であって電力供給が過剰となった場合（Ｓ５０８：ＮＯ）、系統情報受信部２３から受信した潮流情報に基づいて、マイクログリッド系統２での総発電量Ｐｓから総需要量Ｐｄを差し引いて、過剰となる電力量を算出する（Ｓ５１６）。ここで、マイクログリッド系統２の電力需給をバランスさせるために、この過剰となる電力量に相当する発電量を系統から切り離す必要がある。そこで、発電機データ記憶部２２に記憶された発電機データに基づいて、非重要発電機３３ｂの中から切り離すべき電力負荷を選定する（Ｓ５１８）。選定した発電機を遮断信号発信部２７に伝送する（Ｓ５２０）。
【００３１】
以上の通り、本実施形態の電力系統遮断システム１によれば、マイクログリッド系統２において系統事故が発生してマイクログリッド系統２全体で電力供給不足が生じたとしても、重要電力負荷３１ａへの電力供給を確保しつつ、非重要電力負荷３１ｂの電力供給を停止することで、マイクログリッド系統２の電力需給バランスを早急に回復することができる。
【００３２】
なお、マイクログリッド系統２から遮断する電力負荷３１の選定は、非重要電力負荷３１ｂからランダムに選定することができる。また、電力負荷３１の優先順位に基づいて、優先順位の劣後する電力負荷３１から順に遮断することとしてもよい。
【００３３】
また、マイクログリッド系統２において系統事故が発生してマイクログリッド系統２全体で電力需要不足が生じた場合、電熱併給型発電等の重要発電機３３ａの運転を継続しつつ、非重要発電機３３ｂの運転を停止することで、マイクログリッド系統２の電力需給バランスを早急に回復することができる。
【００３４】
なお、マイクログリッド系統２から遮断する発電機３３の選定は、非重要発電機３３ｂからランダムに選定することができる。また、発電機３３の優先順位に基づいて、優先順位の劣後する発電機３３から順に遮断することとしてもよく、発電コストの高い発電機３３から順に遮断することとしてもよい。
【００３５】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００３６】
【図１】本発明の一実施形態である電力系統遮断システム１のハードウェア構成を示す図である。
【図２】本発明の一実施形態である電力系統遮断システム１を含むマイクログリッド系統２の全体構成を示す図である。
【図３】負荷情報記憶部２１で記憶されているデータ構成を示す図である。
【図４】発電機データ記憶部２２で記憶されているデータ構成を示す図である。
【図５】遮断対象判定部２６における遮断箇所を判定する処理フローを示す図である。
【符号の説明】
【００３７】
１  電力系統遮断システム
２  マイクログリッド系統システム
１０  ＣＰＵ
１１  メモリ
１２  記憶装置
１３  記録媒体読取装置
１４  通信インターフェイス
１５  入力装置
１６  出力装置
１７  記録媒体
２１  負荷情報記憶部
２２  発電機データ記憶部
２３  系統情報受信部
２４  事故判定部
２５  電力量判定部
２６  遮断対象判定部
２７  遮断信号発信部
３０  送配電線
３１  電力負荷
３３  発電機
４１  遮断器
【図１】
2008271625.tif 000003
【図２】
2008271625.tif 000004
【図３】
2008271625.tif 000005
【図４】
2008271625.tif 000006
【図５】
2008271625.tif 000007